(57)【要約】【課題】コモンモードノイズ除去機能とＡＣカップリング機能とを兼ね備え、既成の基板の高速デジタル差動線路に設けられているランドを利用して実装可能なコモンモードチョークコイルを提供する。【解決手段】コイル部２を横巻構造の第１及び第２コイル導体２１，２２と磁性体２３とで形成し、第１のコンデンサ部３を第１キャパシタ導体３１及び第２キャパシタ導体３２と誘電体３３とで形成すると共に、第２のコンデンサ部４を、第１キャパシタ導体４１及び第２キャパシタ導体４２と誘電体４３とで形成した。そして、コモンモードチョークコイル１を、コイル部２が第１及び第２のコンデンサ部３，４の間に介在する構成とした。好ましくは、第１及び第２のコンデンサ部３，４の第２キャパシタ導体３２，４２をコイル部２に対して第１キャパシタ導体３１，４１で隠すように構成する。【選択図】図２
2007134594.tif 000002
【特許請求の範囲】
【請求項１】
第１コイル導体及び第２コイル導体とを磁性体で被覆して形成したコイル部と、互いに対向する第１キャパシタ導体及び第２キャパシタ導体を誘電体で被覆してそれぞれ形成した第１及び第２のコンデンサ部とを備えるコモンモードチョークコイルであって、
上記第１のコンデンサ部を、上記コイル部の第１コイル導体に直列に接続すると共に、上記第２のコンデンサ部を、上記コイル部の第２コイル導体に直列に接続した、
ことを特徴とするコモンモードチョークコイル。
【請求項２】
請求項１に記載のコモンモードチョークコイルにおいて、
上記コイル部を上記第１のコンデンサ部上に積層し、上記第２のコンデンサ部を当該コイル部の上に積層して、当該コイル部を上記第１及び第２のコンデンサ部の間に介在させた、
ことを特徴とするコモンモードチョークコイル。
【請求項３】
請求項２に記載のコモンモードチョークコイルにおいて、
上記第１及び第２コイル導体の磁極が上記第１及び第２のコンデンサ部側を向かないように、上記第１及び第２コイル導体を横巻構造にした、
ことを特徴とするコモンモードチョークコイル。
【請求項４】
請求項２又は請求項３のいずれかに記載のコモンモードチョークコイルにおいて、
上記第１キャパシタ導体は、等間隔で積層され且つ同一縁部が接続された複数の導体板で成り、
上記第２キャパシタ導体は、当該第１キャパシタ導体の複数の導体板と交互に配され延出した各端部が誘電体から露出した複数の導体板で成り、
上記第１のコンデンサ部は、上記コイル部の第１コイル導体の一方端部に接続された上記第１キャパシタ導体と、各導体板が上記コイル部に対して当該第１キャパシタ導体の各導体板の下側に隠れる上記第２キャパシタ導体とで成り、
上記第２のコンデンサ部は、上記コイル部の第２コイル導体の一方端部に接続された上記第１キャパシタ導体と、各導体板が上記コイル部に対して当該第１キャパシタ導体の各導体板の上側に隠れる上記第２キャパシタ導体とで成る、
ことを特徴とするコモンモードチョークコイル。
【発明の詳細な説明】
【技術分野】
【０００１】
この発明は、高速差動伝送線路上のコモンモードノイズを除去するためのコモンモードチョークコイルに関するものである。
【背景技術】
【０００２】
従来、この種のコモンモードチョークコイルとしては、例えば特許文献１に開示の技術がある。
このコモンモードチョークコイルは、複数のスパイラル導体を複数の絶縁層を介して積層し、この積層体を１対の磁性体基板で挟み込んだ構成を成す。これにより、複数のスパイラル導体で１次コイルと２次コイルとを形成し、これら１次及び２次コイルに侵入してきたコモンモードノイズを、これらコイルのインピーダンスによって反射及び減衰させる。
【０００３】
【特許文献１】特開２００５−８５９９７号公報
【発明の開示】
【発明が解決しようとする課題】
【０００４】
しかし、上記した従来の技術では、次のような問題がある。
一般に、Ｓ−ＡＴＡ（Serial AT Attachment ）やＰＣＩ−ｅｘｐｒｅｓｓ等の高速デジタル差動線路では、直流電気成分をカットするために、ＡＣカップリングコンデンサの実装が必須である。ところが、このような線路を備えた既成の基板では、コモンモードノイズ等の除去を前提とした線路構成になっていないものが多い。このため、上記の如き従来のコモンモードチョークコイルをこのような既成の基板の線路に実装しなければならない場合には、ＡＣカップリングコンデンサ用のランドの他に、コモンモードチョークコイル用のランドを線路上にさらに作成しなければならず、実装作業に多くの手間と時間を要してしまう。
【０００５】
この発明は、上述した課題を解決するためになされたもので、コモンモードノイズ除去機能とＡＣカップリング機能とを兼ね備え、既成の基板の高速デジタル差動線路に設けられているランドを利用して実装可能なコモンモードチョークコイルを提供することを目的とする。
【課題を解決するための手段】
【０００６】
上記課題を解決するために、請求項１の発明は、第１コイル導体及び第２コイル導体とを磁性体で被覆して形成したコイル部と、互いに対向する第１キャパシタ導体及び第２キャパシタ導体を誘電体で被覆してそれぞれ形成した第１及び第２のコンデンサ部とを備えるコモンモードチョークコイルであって、第１のコンデンサ部を、コイル部の第１コイル導体に直列に接続すると共に、第２のコンデンサ部を、コイル部の第２コイル導体に直列に接続した構成とする。
かかる構成により、第１のコンデンサ部の一方の端子とコイル部の第１コイル導体の一方の端子を、高速差動伝送路の一方の線路の１対のランドにそれぞれ接続し、第２のコンデンサ部の一方の端子とコイル部の第２コイル導体の一方の端子を、高速差動伝送路の他方の線路の１対のランドにそれぞれ接続することができる。すると、高速差動伝送路に侵入したコモンモードノイズが、第１コイル導体及び第２コイル導体とを磁性体で被覆した構造のコイル部によって反射及び減衰される。また、上記一方又は他方の線路上の電気的な直流成分は、第１キャパシタ導体及び第２キャパシタ導体を誘電体で被覆した構造の第１又は第２のコンデンサ部のＡＣカップリング機能によってカットされる。
【０００７】
請求項２の発明は、請求項１に記載のコモンモードチョークコイルにおいて、コイル部を第１のコンデンサ部上に積層し、第２のコンデンサ部をコイル部の上に積層して、コイル部を第１及び第２のコンデンサ部の間に介在させた構成とする。
かかる構成により、第１のコンデンサ部と第２のコンデンサ部との間や各コンデンサ部とコイル部との間に発生する不要な浮遊容量が低減される。
【０００８】
請求項３の発明は、請求項２に記載のコモンモードチョークコイルにおいて、第１及び第２コイル導体の磁極が第１及び第２のコンデンサ部側を向かないように、第１及び第２コイル導体を横巻構造にした構成とする。
かかる構成により、第１及び第２コイル導体の磁界が、第１及び第２のコンデンサ部によって妨げられずに、一方の磁極から他方の磁極までループする。
【０００９】
請求項４の発明は、請求項２又は請求項３のいずれかに記載のコモンモードチョークコイルにおいて、第１キャパシタ導体は、等間隔で積層され且つ同一縁部が接続された複数の導体板で成り、第２キャパシタ導体は、第１キャパシタ導体の複数の導体板と交互に配され延出した各端部が誘電体から露出した複数の導体板で成り、第１のコンデンサ部は、コイル部の第１コイル導体の一方端部に接続された第１キャパシタ導体と、各導体板がコイル部に対して第１キャパシタ導体の各導体板の下側に隠れる第２キャパシタ導体とで成り、第２のコンデンサ部は、コイル部の第２コイル導体の一方端部に接続された第１キャパシタ導体と、各導体板がコイル部に対して第１キャパシタ導体の各導体板の上側に隠れる第２キャパシタ導体とで成る構成とした。
かかる構成により、第１のコンデンサ部の第２キャパシタ導体がコイル部に対して第１キャパシタ導体の各導体板の下側に隠れ、第２のコンデンサ部の第２キャパシタ導体がコイル部に対して第１キャパシタ導体の各導体板の上側に隠れるので、不要な浮遊容量が第１のコンデンサ部の第２キャパシタ導体と第２のコンデンサ部の第１キャパシタ導体との間や、第２のコンデンサ部の第２キャパシタ導体と第１のコンデンサ部の第１キャパシタ導体との間においても生ぜず、この結果、静電結合の抑制をより高めることができる。
【発明の効果】
【００１０】
以上詳しく説明したように、この発明のコモンモードチョークコイルによれば、高速差動伝送路に侵入したコモンモードノイズを減衰させるコモンモードノイズ除去機能と電気的な直流成分をカットするＡＣカップリング機能との両機能を兼ね備えているので、既成の基板の高速差動線路に設けられているランドを利用して実装することができ、上記した従来のコモンモードチョークコイルのように、ＡＣカップリングコンデンサ用のランドの他に、コモンモードチョークコイル用のランドをさらに線路上に作成する必要がなく、この結果、実装作業の省力化と短時間化とを図ることができるという優れた効果がある。
【００１１】
特に、請求項２の発明によれば、コイル部を第１及び第２のコンデンサ部の間に介在させて、第１のコンデンサ部と第２のコンデンサ部との間や各コンデンサ部とコイル部との間に発生する不要な浮遊容量を低減するので、線路間の静電結合が抑制され、線路間のインピーダンスの変動が減少する。この結果、伝送する信号の高周波成分が反射することなく線路上を伝達し、信号波形のひずみがほとんどない高品質の信号を伝送することができるという効果がある。
【００１２】
また、請求項３の発明によれば、コイル部の第１及び第２コイル導体を横巻構造にして、磁界が第１及び第２のコンデンサ部によって妨げられずに、一方の磁極から他方の磁極までループするようにしたので、コモンモードノイズの抑制効果をさらに高めることができるという効果がある。
【００１３】
さらに、請求項４の発明によれば、不要な浮遊容量が第１のコンデンサの第２キャパシタ導体とコイル部２との間や、第２のコンデンサ部の第２キャパシタ導体とコイル部２との間に生じない構造にしたので、線路間の静電結合の抑制をより高めることができ、より高品質の信号伝送を可能にする。
【発明を実施するための最良の形態】
【００１４】
以下、この発明の最良の形態について図面を参照して説明する。
【実施例１】
【００１５】
図１は、この発明の一実施例に係るコモンモードチョークコイルの斜視図であり、図２は、図１に示したコモンモードチョークコイルの内部を透過して示す斜視図であり、図３は、コモンモードチョークコイルの等価回路図である。
【００１６】
図１に示すように、この実施例のコモンモードチョークコイル１は、コイル部２を第１のコンデンサ部３上に積層し、第２のコンデンサ部４をこのコイル部２の上に積層した構造を成す。すなわち、コモンモードチョークコイル１は、コイル部２を第１及び第２のコンデンサ部３，４の間に介在させたチップ体であり、その外側に４つの外部電極５−１〜５−４を有している。
【００１７】
コイル部２は、コモンモードノイズを除去するためのコイル部分であり、図２に示すように、第１コイル導体２１と第２コイル導体２２とこれら第１及び第２コイル導体２１，２２を被覆した磁性体２３とで形成されている。なお、図２において、第１コイル導体２１と第２コイル導体２２との区別を容易にするため、第２コイル導体２２を示す線を第１コイル導体２１を示す線よりも太く表現しているが、第１コイル導体２１と第２コイル導体２２との実際の線径は同じである。
【００１８】
第１コイル導体２１は、外端部２１ａを磁性体２３の側面（図２の右側面）に露出させたスパイラル状の導体であり、第２コイル導体２２も、その外端部２２ａを磁性体２３の側面（図２の右側面）に露出させたスパイラル状の導体である。
図４は、第１コイル導体２１と第２コイル導体２２とを分離して示す斜視図である。
図４に示すように、第１コイル導体２１（第２コイル導体２２）は、磁極２１Ａ，２１Ｂ（２２Ａ，２２Ｂ）が横向きの横巻構造を成し、矢印で示すように、第１コイル導体２１が第２コイル導体２２の間隙に入り込んで、第１及び第２コイル導体２１，２２全体が二重巻線状態を成す。すなわち、図２に示すように、第１及び第２コイル導体２１，２２の磁極２１Ａ，２１Ｂ及び２２Ａ，２２Ｂ（図２の右，左の磁極）が第１及び第２のコンデンサ部３，４側を向かないように、第１及び第２コイル導体２１，２２の巻方向を横方向に設定している。
【００１９】
第１のコンデンサ部３は、線路上の直流成分をカットするための部分であり、対向するように組み込まれた第１キャパシタ導体３１及び第２キャパシタ導体３２と、これら第１及び第２キャパシタ導体３１，３２を被覆した誘電体３３とで構成されている。
【００２０】
図５は、第１キャパシタ導体３１と第２キャパシタ導体３２とを分離して示す斜視図である。
図５に示すように、第１キャパシタ導体３１は、３枚の同形の導体板３１ａ〜３１ｃを等間隔で積層し、これら３枚の導体板３１ａ〜３１ｃの同一縁部を縦状の導体板３１ｄで接続して形成した。
一方、第２キャパシタ導体３２は、３枚の同形の導体板３２ａ〜３２ｃを等間隔で積層し、これら３枚の導体板３２ａ〜３２ｃを第１キャパシタ導体３１の導体板３１ａ〜３１ｃの間に配して形成した。具体的には、第２キャパシタ導体３２の各導体板３２ｃ（３２ｂ，３２ａ）が、コイル部２（図２参照）に対して第１キャパシタ導体３１の導体板３１ｃ（３１ｂ，３１ａ）の下側に位置するように、導体板３２ａ〜３２ｃを導体板３１ａ〜３１ｃと交互に配した。
そして、図２に示すように、第１キャパシタ導体３１の導体板３１ｃを、第１コイル導体２１の一方端部２１ｂに接続し、第２キャパシタ導体３２の導体板３２ａ〜３２ｃの延出端部３２ａ′〜３２ｃ′を誘電体３３の側面に露出させている。
すなわち、図３に示すように、第１のコンデンサ部３を、コイル部２の第１コイル導体２１と直列に接続した。
【００２１】
このような第１キャパシタ導体３１と第２キャパシタ導体３２とにおいては、不要な浮遊容量の発生を抑制するための工夫がされている。
図６は、第１のコンデンサ部３の要部を示す平面図である。
図６に示すように、第１キャパシタ導体３１の各導体板３１ｃ（３１ｂ，３１ａ）の幅ｗ１を第２キャパシタ導体３２の各導体板３２ｃ（３２ｂ，３２ａ）の幅ｗ２よりも広く設定して、各導体板３２ｃ（３２ｂ，３２ａ）を各導体板３１ｃ（３１ｂ，３１ａ）の下側に隠し、延出端部３２ｃ′（３２ｂ′，３２ａ′）だけを露出させた。
【００２２】
図２に示す第２のコンデンサ部４も、線路上の直流成分をカットするための部分であり、互いに対向するように組み込まれた第１キャパシタ導体４１及び第２キャパシタ導体４２と、これら第１及び第２キャパシタ導体４１，４２を被覆した誘電体４３とで構成されている。
【００２３】
第１キャパシタ導体４１も、図５に示すように、等間隔で積層された３枚の導体板４１ａ〜４１ｃの同一縁部を縦状の導体板４１ｄで接続することで形成し、第２キャパシタ導体４２も、等間隔で積層された３枚の導体板４２ａ〜４２ｃを第１キャパシタ導体４１の導体板４１ａ〜４１ｃの間に配して形成した。具体的には、第２キャパシタ導体４２の各導体板４２ａ（４２ｂ，４２ｃ）が、コイル部２に対して第１キャパシタ導体４１の導体板４１ａ（４１ｂ，４１ｃ）の上側に位置するように、導体板４２ａ〜４２ｃを導体板４１ａ〜４１ｃと交互に配した。
そして、図２に示すように、第１キャパシタ導体４１の導体板４１ａを、第２コイル導体２２の一方端部２２ｂに接続し、第２キャパシタ導体４２の導体板４２ａ〜４２ｃの延出端部４２ａ′〜４２ｃ′を誘電体４３の側面に露出させている。
すなわち、図３に示すように、第２のコンデンサ部４を、コイル部２の第２コイル導体２２と直列に接続した。
【００２４】
このような第１キャパシタ導体４１と第２キャパシタ導体４２とにおいても、不要な浮遊容量の発生を抑制するための工夫がされている。
図７は、第２のコンデンサ部４の要部を示す平面図である。
図７に示すように、第１キャパシタ導体４１の各導体板４１ｃ（４１ｂ，４１ａ）の幅ｗ１を第２キャパシタ導体４２の各導体板４２ｃ（４２ｂ，４２ａ）の幅ｗ２よりも広く設定して、各導体板４２ｃ（４２ｂ，４２ａ）を各導体板４１ｃ（４１ｂ，４１ａ）の上側に隠し、延出端部４２ｃ′（４２ｂ′，４２ａ′）だけを露出させた。
【００２５】
図２において、外部電極５−１は、第１コイル導体２１の外端部２１ａに接続するように取り付けられ、外部電極５−２は、第２キャパシタ導体３２の導体板３２ａ′〜３２ｃ′に接続するように取り付けられている。
また、外部電極５−３は、第２コイル導体２２の外端部２２ａに接続するように取り付けられ、外部電極５−４は、第２キャパシタ導体４２の導体板４２ａ′〜４２ｃ′に接続するように取り付けられている。
【００２６】
次に、コモンモードチョークコイル１の製造方法について説明する。
図８は、第１のコンデンサ部３の層構造を示す斜視図であり、図９は、コイル部２の層構造を示す斜視図であり、図１０は、第２のコンデンサ部４の層構造を示す斜視図であり、図１１は、コイル部２と第１及び第２のコンデンサ部３，４との一体化工程を示す斜視図である。
先ず、第１のコンデンサ部３を形成するには、図８に示すように、誘電体シート３３ａ〜３３ｆを順次積層しながら、導体板３２ａ，３１ａ，３２ｂ，３１ｂ，３２ｃ，３１ｃを誘電体シート３３ａ〜３３ｆの表面にパターン印刷する。この際、誘電体シート３３ｃ〜３３ｆには、導体板３１ａ〜３１ｃの縁部と等しい長さのスルーホール３１ｄ１〜３１ｄ４を穿設しておく。最後に、第１コイル導体２１の一方端部２１ｂとの接続用のスルーホール３３ｇ′を有した誘電体シート３３ｇを最上位に積層する。
このようにして、図１１に示すように、導体板３１ａ〜３１ｃ及び導体板３１ｄとで成る第１キャパシタ導体３１と、導体板３２ａ〜３２ｃで成る第２キャパシタ導体３２とを有した焼成前の第１のコンデンサ部３を形成する。
【００２７】
次いで、コイル部２を形成する。具体的には、図９に示すように、第１コイル導体２１の外端部２１ａと複数の部分導体２１′とを最下層の磁性体シート２３ａにパターン印刷すると共に、第２コイル導体２２の複数の部分導体２２′を複数の部分導体２１′の間に交互にパターン印刷する。そして、複数のスルーホール２１ｈと複数のスルーホール２２ｈとを有した複数の磁性体シート２３ｂをかかる磁性体シート２３ａ上に積層する。しかる後、第２コイル導体２２の外端部２２ａと複数の部分導体２２′とを磁性体シート２３ｃにパターン印刷すると共に、第１コイル導体２１の複数の部分導体２１′を複数の部分導体２２′の間に交互にパターン印刷する。そして、この磁性体シート２３を磁性体シート２３ｂ上に積層した後、磁性体シート２３ｄを最上位に積層する。この際、磁性体シート２３ａには、第１のコンデンサ部３の誘電体シート３３ｇのスルーホール３３ｇ′と連通して第１コイル導体２１の一方端部２１ｂを構成するためのスルーホール２３ａ′を穿設すると共に、磁性体シート２３ｄには、第２のコンデンサ部４の誘電体シート４３ａのスルーホール４３ａ′と連通して第２コイル導体２２の一方端部２２ｂを構成するためのスルーホール２３ｄ′を穿設する。これにより、磁性体シート２３ａ上の部分導体２１′と磁性体シート２３ｃ上の部分導体２１′の端部同士が、スルーホール２１ｈを通じて連結されて、第１コイル導体２１が形成される。また、磁性体シート２３ａ上の部分導体２２′と磁性体シート２３ｃ上の部分導体２２′の端部同士が、スルーホール２２ｈを通じて連結されて、第２コイル導体２２が形成される。
このようにして、図１１に示すように、第１コイル導体２１と第２コイル導体２２とを有した焼成前のコイル部２を形成する。
【００２８】
さらに、第２のコンデンサ部４を形成する。すなわち、図１０に示すように、誘電体シート４３ａ〜４３ｆを順次積層しながら、導体板４１ａ，４２ａ，４１ｂ，４２ｂ，４１ｃ，４２ｃを誘電体シート４３ａ〜４３ｆの表面にパターン印刷する。この際、誘電体シート４３ｂ〜４３ｅには、導体板４１ａ〜４１ｃの縁部と等しい長さのスルーホール４１ｄ１〜４１ｄ４を穿設し、誘電体シート４３ａには、第２コイル導体２２の一方端部２２ｂとの接続用のスルーホール４３ａ′を穿設しておく。最後に、誘電体シート４３ｇを最上位に積層する。このようにして、図１１に示すように、導体板４１ａ〜４１ｃ及び導体板４１ｄとで成る第１キャパシタ導体４１と、導体板４２ａ〜４２ｃで成る第２キャパシタ導体４２とを有した焼成前の第２のコンデンサ部４を形成する。
【００２９】
最後に、焼成前の第１のコンデンサ部３とコイル部２と第２のコンデンサ部４とを下から順に積み重ねて一体型にし、しかる後、焼成して、コイル部２と第１及び第２のコンデンサ部３，４で構成されたチップ体を得る。そして、外部電極５−１〜５−４をこのチップ体に形成することで、図１及び図２に示したコモンモードチョークコイル１を製造する。
【００３０】
次に、この実施例のコモンモードチョークコイルが示す作用及び効果について説明する。
図１２は、差動伝送線路を搭載した基板を示す斜視図であり、図１３は、コモンモードチョークコイル１を差動伝送路のランドに実装した状態を示す斜視図であり、図１４は、コモンモードチョークコイル１を各差動伝送路に実装した状態を示す斜視図である。
図１２に示す基板１００は、Ｓ−ＡＴＡやＰＣＩ−ｅｘｐｒｅｓｓ等の高速デジタル差動線路１１０，１２０を搭載している基板であり、チップコントローラ等のＩＣ１３０とコネクタ１３１とを備えている。かかる高速デジタル差動線路１１０，１２０において、高速デジタル差動線路１１０は、信号出力用の伝送路であり、信号Ｄ+用の線路１１１と信号Ｄ-用の線路１１２とで構成される。また、高速デジタル差動線路１２０は、信号入力用の伝送路であり、線路１２１，１２２で構成される。
このような高速デジタル差動線路１１０（１２０）においては、通常、破線で示すＡＣカップリングコンデンサ２００を実装するためのランド１１１ａ，１１１ｂ、１１２ａ，１１２ｂ（１２１ａ，１２１ｂ、１２２ａ，１２２ｂ）が各線路１１１，１１２（１２１，１２２）に形成されている。
【００３１】
この実施例のコモンモードチョークコイル１は、このような既成の基板１００の高速デジタル差動線路１１０（１２０）に設けられているランド１１１ａ，１１１ｂ、１１２ａ，１１２ｂ（１２１ａ，１２１ｂ、１２２ａ，１２２ｂ）を利用して、実装することができる。具体的には、図１３に示すように、外部電極５−１，５−２を線路１１１のランド１１１ａ，１１１ｂ上に半田付けすると共に、外部電極５−３，５−４を線路１１２のランド１１２ａ，１１２ｂ上に半田付けする。これにより、図３に示すコイル部２の第１コイル導体２１と第１のコンデンサ部３とが線路１１１に直列に接続され、第２コイル導体２２と第２のコンデンサ部４とが線路１１２に直列に接続された状態になる。
【００３２】
したがって、線路１１１上の高周波信号Ｄ+は、第１コイル導体２１及び第１のコンデンサ部３を通過し、線路１１２上の高周波信号Ｄ-は、第２コイル導体２２及び第２のコンデンサ部４を通過する。
このとき、上記したように、コイル部２を第１及び第２のコンデンサ部３，４の間に介在させているので、不要な浮遊容量が第１及び第２のコンデンサ部３，４間や各コンデンサ部３（４）とコイル部２との間にほとんど生じない。さらに、図６（図７）に示したように、第２キャパシタ導体３２（４２）を、コイル部２に対して第１キャパシタ導体３１（４１）の内側に隠れるように設定しているので、浮遊容量の発生は、さらに厳格に抑制される。このため、線路１１１，１１２間の静電結合はほとんど生ぜず、信号波形の歪みがない高品質の信号Ｄ+，Ｄ-が伝送される。
【００３３】
そして、コモンモードノイズが線路１１１，１１２に侵入した場合には、これらのノイズは第１及び第２コイル導体２１，２２を磁性体２３で被覆したコイル部２によって反射及び減衰される。しかも、図４に示したように、コイル部２の第１及び第２コイル導体２１，２２を、横巻構造にしたので、コイル部２からの磁界が第１及び第２のコンデンサ部３，４によって妨げられることなく、一方の磁極から他方の磁極までループする。この結果、コモンモードノイズの除去をより確実に実行することができる。
【００３４】
コモンモードチョークコイル１を、図１４に示すように、高速デジタル差動線路１１０，１２０の双方に実装することで、入出力双方の信号を高品質で伝送することができると共に、コモンモードノイズや直流成分を効率よく除去することができる。
【００３５】
なお、この発明は、上記実施例に限定されるものではなく、発明の要旨の範囲内において種々の変形や変更が可能である。
例えば、上記実施例では、コイル部２の第１コイル導体２１及び第２コイル導体２２を横巻構造にしたコモンモードチョークコイルについて説明したが、これらのコイル導体を縦巻構造にしたコモンモードチョークコイルを、この発明の範囲から除外する意ではない。
また、上記実施例では、第１及び第２のコンデンサ部３（４）の第１及び第２キャパシタ導体３１，３２（４１，４２）を複数の導体板３１ａ〜３１ｃ（４１ａ〜４１ｃ）と導体板３２ａ〜３２ｃ（４２ａ〜４２ｃ）との組合せで構成したコモンモードチョークコイルについて説明したが、１枚の導体板で成る第１キャパシタ導体３１（４１）と１枚の導体板で成る第２キャパシタ導体３２（４２）とで第１のコンデンサ部３（第２のコンデンサ部４）を構成したコモンモードチョークコイルを、この発明の範囲から除外する意ではない。
【図面の簡単な説明】
【００３６】
【図１】この発明の一実施例に係るコモンモードチョークコイルの斜視図である。
【図２】図１に示したコモンモードチョークコイルの内部を透過して示す斜視図である。
【図３】コモンモードチョークコイルの等価回路図である。
【図４】第１コイル導体と第２コイル導体とを分離して示す斜視図である。
【図５】第１キャパシタ導体と第２キャパシタ導体とを分離して示す斜視図である。
【図６】第１のコンデンサ部の要部を示す平面図である。
【図７】第２のコンデンサ部の要部を示す平面図である。
【図８】第１のコンデンサ部の層構造を示す斜視図である。
【図９】コイル部の層構造を示す斜視図である。
【図１０】第２のコンデンサ部の層構造を示す斜視図である。
【図１１】コイル部と第１及び第２のコンデンサ部との一体化工程を示す斜視図である。
【図１２】差動伝送線路を搭載した基板を示す斜視図である。
【図１３】コモンモードチョークコイルを差動伝送路のランドに実装した状態を示す斜視図である。
【図１４】コモンモードチョークコイルを各差動伝送路に実装した状態を示す斜視図である。
【符号の説明】
【００３７】
１…コモンモードチョークコイル、  ２…コイル部、  ３…第１のコンデンサ部、  ４…第２のコンデンサ部、  ５−１〜５−４…外部電極、  ２１…第１コイル導体、  ２１ａ，２２ａ…外端部、  ２１ｂ，２２ｂ…一方端部、  ２２…第２コイル導体、  ２３…磁性体、  ３１，４１…第１キャパシタ導体、  ３１ａ〜３１ｃ，３１ｄ，３２ａ〜３２ｃ，４１ａ〜４１ｃ，４１ｄ，４２ａ〜４２ｃ…導体板、  ３２，４２…第２キャパシタ導体、  ３２ａ′〜３２ｃ′，４２ａ′〜４２ｃ′…延出端部、  ３３，４３…誘電体。
【図１】
2007134594.tif 000003
【図２】
2007134594.tif 000004
【図３】
2007134594.tif 000005
【図４】
2007134594.tif 000006
【図５】
2007134594.tif 000007
【図６】
2007134594.tif 000008
【図７】
2007134594.tif 000009
【図８】
2007134594.tif 000010
【図９】
2007134594.tif 000011
【図１０】
2007134594.tif 000012
【図１１】
2007134594.tif 000013
【図１２】
2007134594.tif 000014
【図１３】
2007134594.tif 000015
【図１４】
2007134594.tif 000016